(57)【要約】【課題】画像形成材料を用いて媒体上に形成された画像を効率よく消去することが可能で、安全性が高く、さらに事務所等の室内スペースでの使用に適したコンパクトな画像消去装置を提供する。【解決手段】消去可能な画像形成材料を用いて画像が形成された媒体を加熱することにより前記画像を消去する２枚の加熱板と、この２枚の加熱板を加熱する加熱手段とからなる加熱装置を備え、前記２枚の加熱板により前記媒体を挟み込むように前記加熱装置を構成したことを特徴とする画像消去装置。【選択図】  図１
2005169677.tif 000002
【特許請求の範囲】
【請求項１】
消去可能な画像形成材料を用いて画像が形成された媒体を加熱することにより前記画像を消去する２枚の加熱板と、この２枚の加熱板を加熱する加熱手段とからなる加熱装置を備え、前記２枚の加熱板により前記媒体を挟み込むように前記加熱装置を構成したことを特徴とする画像消去装置。
【請求項２】
消去可能な画像形成材料を用いて画像が形成された媒体を加熱することにより前記画像を消去する４枚または６枚の加熱板と、この４枚または６枚の加熱板を加熱する加熱手段とからなる加熱装置を備え、前記４枚または６枚の加熱板により前記媒体を四方向または六方向から包囲するように前記加熱装置を構成したことを特徴とする画像消去装置。
【請求項３】
消去可能な画像形成材料を用いて画像が形成された媒体を加熱することにより前記画像を消去するための互いに対向する２枚の加熱板と、互いに対向する２枚または４枚の熱反射板とを備え、前記２枚の加熱板と前記２枚または４枚の熱反射板により前記媒体を四方向または六方向から包囲するように前記加熱装置を構成したことを特徴とする画像消去装置。
【請求項４】
消去可能な画像形成材料を用いて画像が形成された媒体を加熱することにより前記画像を消去する１枚の加熱板と、この加熱板を加熱する加熱手段と、３枚または５枚の熱反射板とからなる加熱装置を備え、前記１枚の加熱板および前記３枚または５枚の熱反射板により前記媒体を四方向または六方向から包囲するように前記加熱装置を構成したことを特徴とする画像消去装置。
【請求項５】
前記媒体を収容する収容トレイを備え、この収容トレイを前記加熱装置により加熱することを特徴とする請求項１〜請求項４記載の画像消去装置。
【請求項６】
前記加熱手段として電気ヒーターを用いたことを特徴とする請求項１〜請求項５いずれか記載の画像消去装置。
【請求項７】
前記加熱装置を強制対流により冷却する送風ファンを備えたことを特徴とする請求項１〜請求項５いずれか記載の画像消去装置。
【請求項８】
前記加熱装置の前記媒体との接触面の裏面に、スペーサーを介して熱遮蔽板を取り付け、加熱装置からの放熱を前記熱遮蔽板で反射させるように構成したことを特徴とする請求項１〜請求項５いずれか記載の画像消去装置。
【請求項９】
前記加熱装置の前記媒体との接触面の裏面に、弾性体を介して熱遮蔽板を取り付け、前記加熱板と前記媒体との接触性を向上したことを特徴とする請求項１〜請求項５いずれか記載の画像消去装置。
【請求項１０】
排熱用通風路と開閉機構または着脱機構を備えた外装カバーに前記加熱手段および前記媒体を収納したことを特徴とする請求項１〜請求項５いずれか記載の画像消去装置。
【請求項１１】
前記外装カバー内に加熱時間および加熱温度を制御する制御機構と、送風冷却を自動で行う制御機構と、インターロック機構を備えた制御ユニットを備えたことを特徴とする請求項１０記載の画像消去装置。
【請求項１２】
前記外装カバーにハンドルを設けたことを特徴とする請求項１０記載の画像消去装置。
【発明の詳細な説明】
【技術分野】
【０００１】
本発明は、消去可能な画像整形材料により形成された画像を消去する画像消去装置に関する。
【背景技術】
【０００２】
近年、ＯＡ化の普及により、各種情報のデータ量は拡大の一途をたどり、情報出力もそれに合わせて増加している。代表的な情報出力の形式としては、例えば、プリンタやコピー機などの画像形成装置による紙への出力があるが、情報出力量の増加に伴い、媒体である紙も大量に使用されることになり、資源保護の点で問題となっている。また、プリンタやコピー機で印刷された紙を再生するには、多量の漂白剤と水を必要とするため、再生にかかるコストも紙の大量使用に伴って高騰している。
【０００３】
そのため、消去可能な画像形成材料を用いて紙に印刷し、この形成された画像を画像消去装置により消去して白紙状態に戻した紙を何度も再使用することにより、実質的な紙の使用量を大幅に減らす手段が採用されている。紙の再使用を繰り返した後、紙面の痛みがひどくなった時点で再生工程にまわすことにより紙の再利用に係る総合的なコストを削減する。
【０００４】
一般に、画像消去装置とは、例えばプリンタやコピー機などの画像形成装置により記録媒体（例えば紙）上に形成された画像を消去する装置で、消去可能な画像形成材料からなるトナーまたはインクを用いる印刷ユニットと、それを除去する手段を有する消去ユニットを具備する装置である。
【０００５】
従来の画像消去装置の例としては、消去可能な画像形成材料（呈色性化合物、顕色剤および消去剤）を含有し、紙上で発色した画像形成材料を顕色剤および消去剤を溶解する溶媒に接触させる手段と、紙から溶媒を除去する手段とを有する画像消去装置というものがある（例えば、特許文献１参照）。
【０００６】
また、消去可能な画像形成材料についても開示されており、これらの材料は、溶剤や熱を加えることで画像の消去が可能であり、紙の再使用が可能となる（例えば、特許文献２および特許文献３参照）。
【特許文献１】特開平１１−３１６５２７号公報
【特許文献２】特開２０００−２８４５０号公報
【特許文献３】特開２００２−３８０３９号公報
【発明の開示】
【発明が解決しようとする課題】
【０００７】
（公知技術の問題点と本発明の目的）
上記したような消去可能な画像形成材料の普及を図るには、材料の開発や消去可能な画像形成材料を使用できるプリンタやコピー機などの開発と同時に、事務所内で使用できる画像消去装置の開発も必要である。
【０００８】
しかしながら、従来の画像消去装置においては、消去に用いる溶媒を貯蔵する溶媒容器と、使用済みの溶媒を回収する回収容器が必要であり、さらに紙を溶媒に接触させる手段としての搬入ローラーおよび搬出ローラーや、温度制御手段としてのヒートローラーおよび電子冷却器、また吸着剤等の化学薬品が必要である。さらに循環ポンプなどの動力機構も必要であるため、設備全体構成も消去工程も複雑なものとなり、また安全面から使用済みの溶媒化学物質の取扱いなどにも注意を要する。
【０００９】
このことから、溶剤を使用する画像消去装置は、事務所内での使用に適合したものとは言えなかった。従って、排気ガス等の公害物質を発生しないような構造で、かつ設置場所の制約が少なく、事務所内での使用に適している小型化および省電力化した消去装置の開発が課題であった。
【００１０】
本発明は、上述した課題を解決するためになされたものであり、画像形成材料を用いて媒体上に形成された画像を効率よく消去することが可能で、安全性が高く、さらに事務所等の室内スペースでの使用に適したコンパクトな画像消去装置を提供することを目的とする。
【課題を解決するための手段】
【００１１】
本発明の画像消去装置は、上述した課題を解決するために、消去可能な画像形成材料を用いて画像が形成された媒体を加熱することにより前記画像を消去する２枚の加熱板と、この２枚の加熱板を加熱する加熱手段とからなる加熱装置を備え、前記２枚の加熱板により前記媒体を挟み込むように前記加熱装置を構成したことを特徴とするものである。
【００１２】
また、本発明の画像消去装置は、消去可能な画像形成材料を用いて画像が形成された媒体を加熱することにより前記画像を消去する４枚または６枚の加熱板と、この４枚または６枚の加熱板を加熱する加熱手段とからなる加熱装置を備え、前記４枚または６枚の加熱板により前記媒体を四方向または六方向から包囲するように前記加熱装置を構成したことを特徴とするものである。
【００１３】
また、本発明の画像消去装置は、消去可能な画像形成材料を用いて画像が形成された媒体を加熱することにより前記画像を消去するための互いに対向する２枚の加熱板と、互いに対向する２枚または４枚の熱反射板とを備え、前記２枚の加熱板と前記２枚または４枚の熱反射板により前記媒体を四方向または六方向から包囲するように前記加熱装置を構成したことを特徴とするものである。
【００１４】
さらに、本発明の画像消去装置は、消去可能な画像形成材料を用いて画像が形成された媒体を加熱することにより前記画像を消去する１枚の加熱板と、この加熱板を加熱する加熱手段と、３枚または５枚の熱反射板とからなる加熱装置を備え、前記１枚の加熱板および前記３枚または５枚の熱反射板により前記媒体を四方向または六方向から包囲するように前記加熱装置を構成したことを特徴とするものである。
【発明の効果】
【００１５】
本発明の画像消去装置によれば、設置スペースが小さく、有害物質を発生しないため、事務所等の室内での使用に適した画像消去装置を提供することが可能である。
【発明を実施するための最良の形態】
【００１６】
本発明に係る画像消去装置の実施例について、図面を参照して以下に説明する。
【００１７】
（実施例１）
図１を用いて実施例１の画像消去装置について説明する。図１は、通常事務所や事務室内でプリンタやコピー機などの画像形成装置の傍らで使用する比較的小型な省電力および高効率の画像消去装置１０の構成を示す。
【００１８】
画像形成材料を用いて画像が形成された紙の束１を２枚の加熱板２および加熱板３で囲み、加熱板２および加熱板３には、それぞれ加熱手段として、板状の電気ヒーター４および電気ヒーター５が取り付けられている。この加熱板２および加熱板３と、電気ヒーター４および電気ヒーター５により加熱装置が構成される。
【００１９】
電気ヒーター４に対してはスペーサー６を介して熱遮蔽板８ａが取り付けられ、電気ヒーター５に対しては弾性体７を介して熱遮蔽板８ｂが取り付けられている。また、加熱部分を冷却するために、冷却手段としての送風ファン９を設けて加熱部分に空気を送風して温度制御する。
【００２０】
加熱板２，加熱板３は金属製の部材で形成され、例えば、アルミニウムや銅のような熱伝導性の良い材料とすることが望ましい。弾性体７としてはばね材を使用する。スペーサー６には、セラミックスやＦＲＰのような断熱特性の良好な材料の適用が望ましい。一方、熱遮蔽板８ａ，熱遮蔽板８ｂは金属製の部材で構成され、表面を鏡面加工あるいは鏡面コーティングした材料で形成することが好ましい。事務所等の室内での使用を考えると、加熱板２，加熱板３の大きさはＡ４用紙を置ける大きさとするか、あるいはＡ３用紙を置ける大きさとすれば良いが、Ａ３用紙を置ける大きさとすれば、Ａ４用紙用にも使用できるため、より好ましい。
【００２１】
このように構成された実施例１の画像消去装置１０の作用について説明する。
【００２２】
まず、紙の束１を２枚の加熱板２および加熱板３の間に設置すると、弾性体７の作用により加熱板３が紙の束１を押し込み、加熱板２および加熱板３と紙の束１とが良好な接触状態で接触する。そのため加熱板２および加熱板３から紙の束１への熱伝導が良好に維持される。また、加熱板２および加熱板３の材料には、アルミニウムや銅のような熱伝導性の良い材料を使用しているので、加熱板２および加熱板３の表面温度が均一となるため、紙の束１は温度むらなく均一に加熱される。この熱伝導によって、紙の束１に形成された画像が消去される。
【００２３】
加熱板２および加熱板３を熱伝導率の高い物質により形成することにより、電気ヒーター４，電気ヒーター５を均等に配置しなくても、加熱板２，加熱板３の表面温度が均一化される。従って、電気ヒーター４，電気ヒーター５の種類の選択の幅も広げることが可能である。また、加熱時には加熱板２および加熱板３と、電気ヒーター４および電気ヒーター５から周囲に対し放熱が起きるが、画像消去装置１０は、熱遮蔽板８ａおよび熱遮蔽板８ｂを設置することにより放熱を反射するので伝熱効率の向上が実現する。また、熱遮蔽板８ａおよび熱遮蔽板８ｂに鏡面加工あるいは鏡面コーティングを施工することにより、熱効率をさらに向上させることが可能である。
【００２４】
一方、伝熱効率を高め、放熱防止効果を高めるのと逆に冷却特性が悪くなり、冷却に要する時間が長くなってしまう。そこで、画像消去装置１０は、加熱後の冷却時に送風ファン９により外部の空気を紙の束１，加熱板２，加熱板３，電気ヒーター４，電気ヒーター５，熱遮蔽板８ａおよび熱遮蔽板８ｂに送ることにより、強制対流による冷却を行うため、加熱後の冷却時間を短縮することができる。
【００２５】
本発明の消去装置の運転パターンの例を図２に示す。
【００２６】
まず、時刻Ｔ１に昇温を開始し、時刻Ｔ２に消去温度に達し、その後時刻Ｔ３まで消去温度にて一定温度に保持する。続いてＴ３から冷却を開始し、時刻Ｔ４において室温に戻る。
【００２７】
消去可能な画像形成材料は、画像形成材料に含まれる呈色性化合物と顕色剤の作用で発色しているが、この画像形成材料が加熱されると、画像形成材料中のバインダー樹脂と呈色性化合物とが優先的に相溶性を示し、消色剤を使用している場合は顕色剤と消色剤が反応し、消色する。この反応は、温度が高いほど反応速度が早くなるが、温度が高すぎると紙が焼けて変色してしまう。従って、消去性能と紙の焼け防止の２点を考慮すると、消去温度としては１３０℃から１５０℃が望ましく、この温度範囲の温度を数時間一定に保つことにより画像を消去することが可能である。消去温度を１３０℃から１５０℃に維持した場合の消去に必要な時間は１時間半から２時間程度である。
【００２８】
画像の消去に要する消費電力は、昇温時が最大でＰ１、消去温度に達し温度を一定としている時点では放熱分を補うだけで良いのでＰ２まで低下し、冷却時において送風ファン９の電力のみとなるのでさらにＰ３まで低下する。従って、画像の消去に要する平均消費電力を低くできる。なお本発明者らの実験によると、例えば、昇温時間を３０分、消去する紙の量をＡ４で５００枚程度とした場合で最大消費電力Ｐ１は１ｋＷから１．５ｋＷ程度となり、事務所でのＡＣ１００Ｖ電源での使用が可能である。
【００２９】
また、加熱板２および加熱板３の大きさをＡ３用紙の置ける大きさにした場合には、Ａ４用紙の処理時にＡ４用紙の置ける大きさとした場合と比較して、紙の束１の厚さは半減する。加熱板２および加熱板３の間隔が狭いほど、加熱板２と加熱板３に挟まれた空間の温度均一性を高めることができ、省電力の点からも有利となる。
【００３０】
本実施例の画像消去装置１０によれば、紙の束１を２枚の加熱板２および加熱板３で囲む構造とし、加熱板２および加熱板３の大きさをＡ４またはＡ３とし、また、加熱手段として電気ヒーター４および電気ヒーター５を使用し、さらに、熱効率を向上する熱遮蔽板を設置し、冷却時間を短縮するための送風ファン９を設けたので、事務所内に設置可能な小型化された画像消去装置とすることが可能で、平均消費電力が少なく、最大消費電力も事務所内に設置できるレベルに低減させることができる。
【００３１】
（実施例２）
図３を用いて本発明の画像消去装置の実施例２について説明する。なお実施例２において実施例１と同一の構成には、同一の符号を付して重複する説明を省略する。
【００３２】
本実施例の画像消去装置２０は、紙の束１を金属製トレイ２１に収納して、収納状態で加熱板２および加熱板３によって囲むように構成する。
【００３３】
金属製トレイ２１の材質としては、アルミニウムや銅などの熱伝導性の良好な材料が望ましい。紙の束１を２枚の加熱板２および加熱板３で囲み、加熱板２および加熱板３にはそれぞれ加熱手段として、板状の電気ヒーター４および電気ヒーター５が取り付けられている。電気ヒーター４に対してはスペーサー６を介して熱遮蔽板８ａが取り付けられ、電気ヒーター５に対しては弾性体７を介して熱遮蔽板８ｂが取り付けられている。加熱後に加熱部分を冷却するために、冷却手段としての送風ファン９を設けて加熱部分に空気を送風して温度制御する。
【００３４】
本実施例の画像消去装置２０は、収容トレイである金属製トレイ２１により紙の束１の周囲を覆う構造とする。このような構成とすることにより、加熱板３からの熱が金属性トレイ２１に伝導するが、金属製トレイ２１の材質を熱伝導性の良好な材料とすることにより、金属製トレイ２１各部の温度が均一となり、加熱板３とほぼ同一温度となる。従って、紙の束１は加熱板２および加熱板３に接触した面と同時に、側面からも金属製トレイ２１の側面により加熱されることになり、熱効率が向上するため加熱に必要な電力を低減でき、紙の束１内の温度均一性を高めることができる。従って画像消去特性がさらに向上する。
【００３５】
また、金属製トレイ２１を消去装置から取り出した状態で紙の束１の出し入れを行えるため、作業性がより向上する。
【００３６】
本実施例の画像消去装置２０によれば、紙の束１を金属製トレイ２１に収納して、さらに２枚の加熱板２および加熱板３で囲む構造とすることにより、平均消費電力と最大消費電力をさらに低減することができ、また紙の束１の出し入れを容易にすることが可能である。
【００３７】
（実施例３）
実施例３の画像消去装置３０について図４を用いて説明する。なお実施例１および実施例２と同一の構成については、同一の符号を付して重複する説明を省略する。
【００３８】
本実施例の画像消去装置３０は、紙の束１を４枚の加熱板２，加熱板３，加熱板３１，加熱板３２により四方から囲んで加熱する構成としたものである。
【００３９】
加熱板２，加熱板３，加熱板３１，加熱板３２には、それぞれ加熱手段として電気ヒーター４，電気ヒーター５，電気ヒーター３３，電気ヒーター３４が取り付けられている。電気ヒーター４に対してはスペーサー６を介して熱遮蔽板８ａが取り付けられ、電気ヒーター５に対しては弾性体７を介して熱遮蔽板８ｂが取り付けられている。加熱後に加熱部分を冷却するために、冷却手段としての送風ファン９を設けて加熱部分に空気を送風して温度制御する。
【００４０】
本実施例の画像消去装置３０によれば、紙の束１を加熱板２，加熱板３，加熱板３１，加熱板３２にて周囲全てを囲む構成としたので、紙の束１に対する加熱特性および温度の均一性がさらに向上する。
【００４１】
なお、本実施例において加熱板３１，加熱板３２は相対する２面で説明したが、紙の側面四方から囲む周囲四方でもよく、この場合上下を含めて６面から加熱してもよいことはもちろんである。
【００４２】
（実施例４）
実施例４の画像消去装置について図５を用いて説明する。なお実施例１〜実施例３と同一の構成には同一の符号を付し、重複する説明を省略する。
【００４３】
本実施例の画像消去装置４０は、紙の束１を２枚の加熱板２および加熱板３と熱反射板４１および熱反射板４２によって囲む構成とする。
【００４４】
加熱板２および加熱板３にはそれぞれ加熱手段として、電気ヒーター４および電気ヒーター５が取り付けられている。電気ヒーター４に対してはスペーサー６を介して熱遮蔽板８ａが取り付けられ、電気ヒーター５に対しては弾性体７を介して熱遮蔽板８ｂが取り付けられている。加熱後に加熱部分を冷却するために、冷却手段としての送風ファン９を設けて加熱部分に空気を送風して温度制御する。
【００４５】
本実施例の画像消去装置４０によれば、紙の束１を２枚の加熱板２および加熱板３と熱反射板４１および熱反射板４２で周囲を囲む構成としたので、加熱板の熱が熱反射板４１および熱反射板４２により反射されるため熱効率が向上し、加熱特性および温度の均一性をさらに向上させることが可能である。
【００４６】
なお、本実施例において熱反射板４１，熱反射板４２は相対する２面で説明したが、紙の側面四方から囲む周囲４面でもよいのはもちろんである。
【００４７】
（実施例５）
実施例５の画像消去装置５０について図６を用いて説明する。なお実施例１〜実施例４と同一の構成については、同一の符号を付して重複する説明を省略する。
【００４８】
本実施例の画像消去装置５０は、紙の束１を１枚の加熱板３と熱反射板４１，熱反射板４２および熱反射板５１で囲む構成とする。
【００４９】
加熱板３には加熱手段として、電気ヒーター５が取り付けられている。電気ヒーター５に対しては、弾性体７を介して熱遮蔽板８ｂが取り付けられている。加熱後に加熱部分を冷却するために、冷却手段としての送風ファン９を設けて加熱部分に空気を送風して温度制御する。
【００５０】
本実施例の画像消去装置５０によれば、紙の束１の周囲を加熱板３と熱反射板４１，熱反射板４２および熱反射板５１で包囲する構成としたので、加熱時の温度均一性が図られ、また加熱手段が加熱板３のみであるため、製造コストが低減され、また装置の大幅な軽量化が実現する。
【００５１】
なお、本実施例において熱反射板４１，熱反射板４２は相対する２面で説明したが、紙の側面四方から囲む周囲４面でもよいのはもちろんである。
【００５２】
（実施例６）
実施例６の画像消去装置６０について図７を用いて説明する。なお実施例１〜実施例５と同一の構成については、同一の符号を付して重複する説明を省略する。
【００５３】
本実施例の画像消去装置６０は、画像消去装置１０の構成を外装カバーに収納した構成とする。
【００５４】
すなわち、紙の束１を２枚の加熱板２および加熱板３で囲み、加熱板２および加熱板３には、それぞれ加熱手段として、板状の電気ヒーター４，電気ヒーター５が取り付けられている。電気ヒーター４に対してはスペーサー６を介して熱遮蔽板８ａが取り付けられ、電気ヒーター５に対しては弾性体７を介して熱遮蔽板８ｂが取り付けられている。加熱後に加熱部分を冷却するために、冷却手段としての送風ファン９を設けて加熱部分に空気を送風して温度制御する。
【００５５】
さらに金属製トレイ２１の周囲を、排熱用通風路と開閉機構または着脱機構を備えた外装カバー６１および外装カバー６２で囲む。外装カバー６１および外装カバー６２と、加熱板４および加熱板５または金属製トレイ２１との隙間は空気で断熱するが、断熱材を挿入することにより外装カバー６１および６２への熱伝達を低減するため好ましい。また、外装カバー６１と外装カバー６２の両方、またはどちらか一方にハンドル６３を取り付けることにより、持ち運びの利便性が向上し、設置場所の移動を容易にすることが可能である。
【００５６】
本実施例の画像消去装置６０によれば、電気ヒーター４および電気ヒーター５を高温とする時にも加熱板４および加熱板５や金属製トレイ２１などへの接触によるやけどを防止できるため、安全性と汎用性がさらに向上した画像消去装置とすることが可能である。
【００５７】
（実施例７）
実施例７の画像消去装置について図８を用いて説明する。なお実施例１〜実施例６と同一の構成については、同一の符号を付して重複する説明を省略する。
【００５８】
本実施例の画像消去装置７０は、電気ヒーター４および電気ヒーター５の加熱温度および時間を制御し、また送風冷却開始と時間を自動で制御し、さらに安全のためのインターロック機構を構築した制御ユニット７１を外装カバー６１および外装カバー６２の内部に設置したものである。
【００５９】
本実施例の画像消去装置７０によれば、制御ユニット７１の設置により、さらに安全性が向上し、効率的な画像消去装置を提供することができ、平均消費電力と最大消費電力をさらに低減することができる。
【図面の簡単な説明】
【００６０】
【図１】本発明に係る画像消去装置の実施例１の構成を示す断面図。
【図２】本発明の画像消去装置の運転パターンの例における温度変化および消費電力を示すグラフ。
【図３】本発明に係る画像消去装置の実施例２の構成を示す断面図。
【図４】本発明に係る画像消去装置の実施例３の構成を示す断面図。
【図５】本発明に係る画像消去装置の実施例４の構成を示す断面図。
【図６】本発明に係る画像消去装置の実施例５の構成を示す断面図。
【図７】本発明に係る画像消去装置の実施例６の構成を示す断面図。
【図８】本発明に係る画像消去装置の実施例７の構成を示す断面図。
【符号の説明】
【００６１】
１  消去可能な画像形成材料を用いて画像が形成された紙の束
２，３  加熱板
４，５  電気ヒーター
６  スペーサー
７  弾性体
８ａ，８ｂ  熱遮蔽板
９  送風ファン
１０，２０  画像消去装置
２１  金属製トレイ
３０  画像消去装置
３１，３２  加熱板
３３，３４  電気ヒーター
４０  画像消去装置
４１，４２  熱反射板
５０  画像消去装置
５１  熱反射板
６０  画像消去装置
６１，６２  外装カバー
６３  ハンドル
７０  画像消去装置
７１  制御ユニット
【図１】
2005169677.tif 000003
【図２】
2005169677.tif 000004
【図３】
2005169677.tif 000005
【図４】
2005169677.tif 000006
【図５】
2005169677.tif 000007
【図６】
2005169677.tif 000008
【図７】
2005169677.tif 000009
【図８】
2005169677.tif 000010